(57)【要約】【課題】本発明はスチ−ルコ−ドのオ−バ−ラップエンドレス構造の改良に係るものであり、オ−バ−ラップ部の歪みの緩和をもたらすエンドレス構造を提供する。【解決手段】長尺で有端のクロ−ラ基体の両端よりスチ−ルコ−ドを突出させておき、この突出部位を重ね、係る部位の未加硫ゴムを加硫することによって接続したクロ−ラのエンドレス構造において、スチ−ルコ−ドの突出部位のほぼ中央を逆向きに傾斜して折り曲げ、当該傾斜折り曲げ部位を近接させ、芯金の直上に位置させて未加硫ゴムを加硫するクロ−ラのエンドレス構造。１‥クロ−ラ基体、２‥スチ−ルコ−ド、２ａ、２ｂ‥スチ−ルコ−ド突出部位、２ａ１ 、２ｂ１ ‥スチ−ルコ−ドの先端部、３、３０ ‥芯金、Ａ‥エンドレス部、Ｂ１ 、Ｂ２ ‥傾斜折曲げ部、Ｃ‥傾斜折曲げ部の近接部位。【選択図】図３
2006315432.tif 000002
【特許請求の範囲】
【請求項１】
長尺で有端のクロ−ラ基体の両端よりスチ−ルコ−ドを突出させておき、この突出部位を重ね、係る部位の未加硫ゴムを加硫することによって接続したクロ−ラのエンドレス構造において、スチ−ルコ−ドの突出部位のほぼ中央を逆向きに傾斜して折り曲げ、当該傾斜折り曲げ部位を近接した状態で未加硫ゴムを加硫することを特徴とするクロ−ラのエンドレス構造。
【請求項２】
スチ−ルコ−ドの傾斜折り曲げ部の近接部位が芯金の直上に位置した請求項１記載のクロ−ラのエンドレス構造。
【請求項３】
スチ−ルコ−ドの先端が芯金の直上に位置した請求項１又は２記載のクロ−ラのエンドレス構造。
【請求項４】
傾斜折り曲げ部位を近接した際、クロ−ラに埋設されたスチ−ルコ−ドが同一平面上になるように配置した請求項１乃至３いずれか１記載のクロ−ラのエンドレス構造。
【発明の詳細な説明】
【技術分野】
【０００１】
本発明は、長尺で有端のクロ−ラ基体を無端状に接続するエンドレス構造に係るものである。
【背景技術】
【０００２】
クロ−ラは通常は長尺で有端のクロ−ラ基体の両端を接続して無端化しており、特に引っ張り補強部材として埋設されているスチ−ルコ−ドの両端を重ね合わせて接続されるものである。
【０００３】
図１はその一例を示すエンドレス部Ａの構造であり、長尺で有端のクロ−ラ基体１の両端よりスチ−ルコ−ド２を突出２ａ、２ｂさせておき、この部位２ａ、２ｂを単に重ね、係る部位に未加硫ゴムを充填したり貼り付けたりし、これを加硫することによって接続していた。しかるに、このエンドレス構造であると、このエンドレス部Ａはスチ−ルコ−ド２が水平状態に埋設されていない状態である。即ち、スチ−ルコ−ド突出部位２ａ、２ｂは段差をもって埋設されているため、スム−ズな回転ができず、突出部位２ａ１ の跳ね上がりの発生もあった。更に、転輪の振動ともなっていた。又、建設機械、高速キャリア、トラクタ−等の重作業や高速車両ではこの部分の応力歪みが大きく、スチ−ルコ−ドが切断する等耐久性に問題があった。図中、３はクロ−ラ中に埋設される芯金である。
【０００４】
図２はこのエンドレス構造を改良したものであり、一方のスチ−ルコ−ド２の一方の突出部位２ａを傾斜折曲げＢし、この傾斜折曲げ部Ｂに他方のスチ−ルコ−ドの突出部位２ｂを突き合わせた状態で接続するという提案がある。この提案によれば、上記の欠点はかなり改善されるとはいえ、未だ十分ではなく、エンドレス部Ａにおける傾斜折曲げ部Ｂ近傍のゴムにはあいかわらず大きな歪みが掛かり、ゴム亀裂が生じるという欠点があった。又、突出部位２ａの先端２ａ１ の跳ね上がりの発生も少なくなかった。
【発明の開示】
【発明が解決しようとする課題】
【０００５】
本発明はスチ−ルコ−ドのオ−バ−ラップエンドレス構造の改良に係るものであり、オ−バ−ラップ部の歪みの緩和をもたらすエンドレス構造を提供するものである。
【課題を解決するための手段】
【０００６】
本発明の要旨は、長尺で有端のクロ−ラ基体の両端よりスチ−ルコ−ドを突出させておき、この突出部位を重ね、係る部位の未加硫ゴム或いは半加硫ゴム（以下、これらを総称して未加硫ゴムという）を加硫することによって接続したクロ−ラのエンドレス構造において、スチ−ルコ−ドの突出部位のほぼ中央を逆向きに傾斜して折り曲げ、当該傾斜折り曲げ部位を近接した状態で未加硫ゴムを加硫することを特徴とするクロ−ラのエンドレス構造にかかるものである。
【発明の効果】
【０００７】
スチ−ルコ−ドを重ね合わせたクロ−ラのエンドレス構造において、両端にほぼ同じ程度の逆向きの傾斜折り曲げ部を形成し、この傾斜折り曲げ部を近接してエンドレス構造としたものであり、オ−バ−ラップ部位にかかる歪みを緩和し、特に芯金との関係を特定することによって歪み応力を最小限に押え込むものであって、スチ−ルコ−ド全体としてもほぼ一直線上をもってゴム中に埋設されるものであり、耐久性の面でも十分効果が発揮されるものである。
【発明を実施するための最良の形態】
【０００８】
本発明のクロ−ラのエンドレス構造について更に言えば、長尺で有端のクロ−ラ基体の両端よりスチ−ルコ−ドを突出させておき、一般にはこの突出部位の一方側にはクロ−ラ基体における外側に連続してクロ−ラの外側を構成する未加硫ゴムが、他方側には同様にクロ−ラ基体の内側に連続してクロ−ラの内側を構成する未加硫ゴムが配置されるものであり、この突出部位を重ね、係る部位の未加硫ゴムを加硫することによって接続したクロ−ラのエンドレス構造とするものである。
【０００９】
そして、特徴的にはスチ−ルコ−ドの突出部位のほぼ中央を逆向きに傾斜して折り曲げ、当該傾斜折り曲げ部位を近接した状態で未加硫ゴムを加硫するものである。この近接状態にあって、クロ−ラに埋設されたスチ−ルコ−ド、即ち傾斜折り曲げ部位よりも内側のスチ−ルコ−ドがほぼ同一平面上になるように配置するものである。しかも、好適にはスチ−ルコ−ドの傾斜折り曲げ部の近接部位が芯金の直上に位置し、かつ、折り曲げられた先端が他の芯金の直上に位置させるものである。
【００１０】
得られたクロ−ラにおけるスチ−ルコ−ドは、ほぼ同一平面上になるように傾斜折り曲げ部位を近接した状態で、しかも好ましくはこの部位を芯金の直上に配置したもので、これによってスチ−ルコ−ドにかかる引っ張り力が平均化し、しかも傾斜折り曲げ部位を最も応力歪み変化の小さい芯金の直上に配置したことにより、近接つき合わせ部に発生する応力を最小限に押え込むことができることとなったものである。しかも、スチ−ルコ−ドの先端を芯金の直上に配置すれば、クロ−ラの回転や曲げによる跳ね上げ現象も殆どなくなったものであり、クロ−ラの耐久性が著しく向上したものである。
【００１１】
通常、スチ−ルコ−ドはクロ−ラの長手方向に同一平面内に列をなして埋設されているが、全スチ−ルコ−ドのエンドレス部を一箇所にて行う必要はなく、場合によってはスチ−ルコ−ド列を幅方向に複数に分け、夫々別の部位にて本発明のエンドレス構造を採用することも可能である。こうすることによってクロ−ラにかかる歪みの分散がより図れることになる。
【００１２】
尚、スチ−ルコ−ドの両端を傾斜折り曲げ部となし、これをエンドレス構造に利用した技術は本特許出願人が特許文献１にて既に提案済であるが、これは傾斜折り曲げ部を近接してなるものではなく、逆に最も遠い位置に配置してなるものであって、その技術思想は根本的に異なるものである。
【００１３】
【特許文献１】特開２０００−２４７２７２号公報
【実施例】
【００１４】
以下、本発明の最良の実施例を図をもって更に詳細に説明する。図３は本発明のクロ−ラのエンドレス構造Ａを示すものであり、スチ−ルコ−ドと芯金のみを取り上げて示した図である。図にあって、符号１、２、２ａ、２ｂ、３は既に説明したものと同一定義であり、夫々長尺で有端のクロ−ラ基体、スチ−ルコ−ド、スチ−ルコ−ドの突出部位、芯金である。
【００１５】
さて、スチ−ルコ−ド２の、外側に位置する突出部位２ａを外側に向けて傾斜折曲げ部Ｂ１ とし、他方のスチ−ルコ−ド２の、内側に位置する突出部位２ｂを内側に向けて傾斜折り曲げ部Ｂ２ としたもので、夫々の傾斜折り曲げ部Ｂ１ 、Ｂ２ を接近させて配置したものである。その際には両側から傾斜折り曲げ部Ｂ１ 、Ｂ２ に至るスチ−ルコ−ド２、２はほぼ同一平面上になるように配置するものであり、しかもこの傾斜折り曲げ部Ｂ１ 、Ｂ２ の接近部位Ｃは、クロ−ラ１の長手方向に一定のピッチをもって埋設される一つの芯金３０ の直上に配置されるものである。更に言えば、スチ−ルコ−ド２の各先端部２ａ１ 、２ｂ１ も又他の芯金３上に配置されている。
【産業上の利用可能性】
【００１６】
かかるエンドレス構造としたことによって、ゴム及びスチ−ルコ−ドの一部に集中的に歪みが掛かることがなくなったものであり、これによってクロ−ラとしての耐久性の向上に繋がるものであり、長尺で有端のクロ−ラ基体の全てのエンドレス化に適用できるものである。
【図面の簡単な説明】
【００１７】
【図１】図１は従来のエンドレス構造を示す図である。
【図２】図２は従来の他のエンドレス構造を示す図である。
【図３】図３は本発明のエンドレス構造を示す図である。
【符号の説明】
【００１８】
１‥長尺で有端のクロ−ラ基体、
２‥スチ−ルコ−ド、
２ａ、２ｂ‥スチ−ルコ−ド突出部位、
２ａ１ 、２ｂ１ ‥スチ−ルコ−ドの先端部、
３、３０ ‥芯金、
Ａ‥エンドレス部、
Ｂ、Ｂ１ 、Ｂ２ ‥傾斜折曲げ部、
Ｃ‥傾斜折曲げ部の近接部位。
【図１】
2006315432.tif 000003
【図２】
2006315432.tif 000004
【図３】
2006315432.tif 000005